(57)【要約】 【課題】複数種類の電源を備え、電力系統へ逆潮流可能な電力供給システムを提供する。【解決手段】太陽電池３と、蓄電池４と、太陽電池３で発電される直流電力を所定の直流電力に変換してＤＣバス６２へ出力する第１ＤＣ／ＤＣコンバータ６３と、ＤＣバス６２の直流電力を蓄電池４に充電し、蓄電池４の放電電力をＤＣバス６２へ出力する第２ＤＣ／ＤＣコンバータ６４と、電力系統２からの交流電力を所定の直流電力に変換し、ＤＣバス６２からの直流電力を所定の交流電力に変換するＡＣ／ＤＣコンバータ６５と、電力系統２への逆潮流電力を計測する第１電力計測器６７と、第１ＤＣ／ＤＣコンバータ６３から出力される電力を計測する第２電力計測器６８と、逆潮流電力が第２電力計測器６８で計測された電力より大きい場合に、第２ＤＣ／ＤＣコンバータ６４を制御して逆潮流電力を第２電力計測器６４で計測された電力以下とする制御部と、を備えた電力供給システム。【選択図】図１
2013258845.tif 000002
【特許請求の範囲】
【請求項１】
電力系統と連系して運転可能な電力供給システムであって、
太陽電池と、
蓄電池と、
前記太陽電池で発電される直流電力を所定の直流電力に変換してＤＣバスへ出力する第１ＤＣ／ＤＣコンバータと、
前記ＤＣバスの直流電力を前記蓄電池に充電するとともに、前記蓄電池の放電電力を前記ＤＣバスへ出力する第２ＤＣ／ＤＣコンバータと、
前記電力系統と前記ＤＣバスとの間において、前記電力系統からの交流電力を所定の直流電力に変換するとともに、前記ＤＣバスからの直流電力を所定の交流電力に変換するＡＣ／ＤＣコンバータと、
前記電力系統へ逆潮流する電力を計測する第１電力計測器と、
前記第１ＤＣ／ＤＣコンバータから出力される電力を計測する第２電力計測器と、
前記第１電力計測器で計測された逆潮流電力が、前記第２電力計測器で計測された電力より大きい場合に、前記第２ＤＣ／ＤＣコンバータを制御して、前記逆潮流電力を前記第２電力計測器で計測された電力以下とする制御部と、を備えた電力供給システム。
【請求項２】
前記制御部は、前記第１電力計測器により計測された逆潮流電力から、前記第１電力計測器により計測された電力を除いた電力を、前記蓄電池からの放電電力により相殺するように制御する請求項１記載の電力供給システム。
【請求項３】
前記ＡＣ／ＤＣコンバータに接続した燃料電池を更に備え、
前記制御部は前記蓄電池の充電上限値を有し、前記第１電力計測器で計測された逆潮流電力が、前記第２電力計測器で計測された電力より大きい場合に、前記蓄電池が放電中であれば前記第２ＤＣ／ＤＣコンバータを制御して前記蓄電池の放電電力を小さくし、前記蓄電池の充電量が充電上限値であれば前記燃料電池の発電電力を小さくする請求項１記載の電力供給システム。
【請求項４】
燃料電池と、前記燃料電池の発電電力を前記ＤＣバスに出力する第３ＤＣ／ＤＣコンバータと、を更に備え、
前記制御部は前記蓄電池の充電上限値を有し、前記第１電力計測器で計測された逆潮流電力が、前記第２電力計測器で計測された電力より大きい場合に、前記蓄電池が放電中であれば前記第２ＤＣ／ＤＣコンバータを制御して前記蓄電池の放電電力を小さくし、前記蓄電池の充電量が充電上限値であれば前記燃料電池の発電電力を小さくする請求項１記載の電力供給システム。
【請求項５】
前記制御部は、前記蓄電池の充電開始時刻と充電終了時刻とを設定し、前記充電開始時刻と前記充電終了時刻との間において前記蓄電池をあらかじめ定められた充電量目標値まで充電する請求項１乃至請求項４のいずれか１項記載の電力供給システム。
【請求項６】
前記制御部は、前記蓄電池があらかじめ定められた期間の間に放電した電力量を記憶し、前記充電量目標値を前記記憶した放電電力量に基づいて決定する請求項５記載の電力供給システム。
【請求項７】
前記制御部は、前記逆潮流電力の和を前記蓄電池への充電により、ゼロになるように制御する請求項１、３、４、５のいずれか１項記載の電力供給システム。
【請求項８】
電力系統と連系して運転可能な電力供給システムであって、
太陽電池と、
蓄電池と、
発電した電力を前記交流負荷へ供給する燃料電池と、
太陽電池装置により発電される直流電力をＤＣバスを介して直流負荷に供給し、交流電力系統と連系して、燃料電池により発電される交流電力を、交流負荷に供給する、電力供給システムであって、
前記太陽電池の発電電力を所定の直流電力に変換してＤＣバスへ出力する第１ＤＣ／ＤＣコンバータと、
前記ＤＣバスの直流電力を前記蓄電池に充電するとともに、前記蓄電池の放電電力を前記ＤＣバスへ出力する第２ＤＣ／ＤＣコンバータと、
前記電力系統と前記ＤＣバスとの間において、前記電力系統から前記ＤＣバスへ供給される交流電力を直流電力に変換するとともに、前記ＤＣバスの直流電力を交流電力に変換するＡＣ／ＤＣコンバータと、
前記電力系統へ逆潮流する逆潮流電力を計測する第１電力計測器と、
前記電力系統から前記交流負荷へ供給される受電端電力を計測する第３電力計測器と、
前記第３電力計測器により計測される受電端電力を、前記蓄電池からの放電により、ゼロまたは正になるように前記第２ＤＣ／ＤＣコンバータを制御する制御部と、を備えた電力供給システム。
【請求項９】
前記制御部は、前記受電端電力を、前記蓄電池からの放電によりゼロになるように前記第２ＤＣ／ＤＣコンバータを制御する請求項８記載の電力供給システム。
【請求項１０】
前記第１ＤＣ／ＤＣコンバータから出力される電力を計測する第２電力計測器を更に備え、
前記制御部は前記第２電力計測器で計測された電力を時刻とともに記録する請求項８又は請求項９記載の電力供給システム。
【請求項１１】
サーバと通信を行い受信したデータを前記制御部へ送信する通信部を更に備え、
前記サーバは前記通信部へ前記蓄電池の運転スケジュールを送信する請求項１乃至請求項１０のいずれか１項記載の電力供給システム。
【請求項１２】
サーバと通信を行い受信したデータを前記制御部へ送信する通信部を更に備え、
前記サーバは前記通信部へ前記蓄電池及び前記燃料電池の運転スケジュールを送信する請求項３乃至請求項７のいずれか１項記載の電力供給システム。
【発明の詳細な説明】
【技術分野】
【０００１】
本発明の実施形態は、電力供給システムに関する。
【背景技術】
【０００２】
太陽電池、燃料電池、及び、蓄電池等、複数種類の電源を備えた電力供給システムが提案されている。電力供給システムは電力系統と接続し、負荷の消費電力に応じて、各電源および電力系統から負荷へ電力を供給する。
【０００３】
太陽電池の発電電力は電力系統へ逆潮流して売電することが可能である。上記のように、太陽電池を含む複数種類の電源を含む電力供給システムの場合には、太陽電池の発電電力の余剰分のみを逆潮流することが要求される。
【先行技術文献】
【特許文献】
【０００４】
【特許文献１】特開２０１１−１０９７８４号公報
【発明の概要】
【発明が解決しようとする課題】
【０００５】
本発明の実施形態は、複数種類の電源を備え、電力系統へ逆潮流可能な電力供給システムを提供することを目的とする。
【課題を解決するための手段】
【０００６】
実施形態によれば、電力系統と連系して運転可能な電力供給システムであって、太陽電池と、蓄電池と、前記太陽電池で発電される直流電力を所定の直流電力に変換してＤＣバスへ出力する第１ＤＣ／ＤＣコンバータと、前記ＤＣバスの直流電力を前記蓄電池に充電するとともに、前記蓄電池の放電電力を前記ＤＣバスへ出力する第２ＤＣ／ＤＣコンバータと、前記電力系統と前記ＤＣバスとの間において、前記電力系統からの交流電力を所定の直流電力に変換するとともに、前記ＤＣバスからの直流電力を所定の交流電力に変換するＡＣ／ＤＣコンバータと、前記電力系統へ逆潮流する電力を計測する第１電力計測器と、前記第１ＤＣ／ＤＣコンバータから出力される電力を計測する第２電力計測器と、前記第１電力計測器で計測された逆潮流電力が、前記第２電力計測器で計測された電力より大きい場合に、前記第２ＤＣ／ＤＣコンバータを制御して、前記逆潮流電力を前記第２電力計測器で計測された電力以下とする制御部と、を備えた電力供給システムが提供される。
【図面の簡単な説明】
【０００７】
【図１】図１は、第１実施形態の電力供給システムの一構成例を概略的に示すブロック図である。
【図２】図２は、電力系統への逆潮流電力と太陽電池の発電電力との差の時間による推移の一例を示す図である。
【図３】図３は、本実施形態の電力供給システムの動作の一例を説明するフローチャートである。
【図４】図４は、図３に示すフローチャートに沿って制御された電力供給システムの運転結果の一例を示す図である。
【図５】図５は、電力系統への逆潮流電力の時間推移の一例を示す図である。
【図６】図６は、第１実施形態の電力供給システムの動作の他の例を説明するフローチャートである。
【図７】図７は、図６に示すフローに沿って制御された電力供給システムの運転結果の一例を示す図である。
【図８】図８は、第１実施形態の電力供給システムの他の構成例を概略的に示すブロック図である。
【図９】図９は、第２実施形態の電力供給システムの一構成例を概略的に示すブロック図である。
【図１０】図１０は、第２実施形態の電力供給システムの動作の一例を説明するフローチャートである。
【図１１】図１１は、図１０に示すフローに沿って制御された第２実施形態の電力供給システムの運転結果の一例を示す図である。
【図１２】図１２は、第２実施形態の電力供給システムの動作の他の例を説明するフローチャートである。
【図１３】図１３は、図１２に示すフローに沿って制御された本実施形態の電力供給システムの運転結果の一例を示す図である。
【図１４】図１４は、第２実施形態の電力供給システムの他の構成例を概略的に示すブロック図である。
【図１５】図１５は、第３実施形態の電力供給システムの一構成例を概略的に示すブロック図である。
【図１６】図１６は、サーバから通信部へ送信される蓄電池および燃料電池の運転スケジュールの一例を示す図である。
【図１７】図１７は、第３実施形態の電力供給システムの動作の一例を説明するフローチャートである。
【図１８】図１８は、図１７に示すフローに沿って制御された電力供給システムの運転結果の一例を示す図である。
【発明を実施するための形態】
【０００８】
以下、第１実施形態の電力供給システムについて、図面を参照して説明する。  
図１は、本実施形態の電力供給システム１の一構成例を概略的に示すブロック図である。
【０００９】
本実施形態の電力供給システム１は、太陽電池（ＰＶ）３、蓄電池４、燃料電池５、制御装置６、および、分電盤７を備えている。本実施形態の電力供給システム１は、電力系統２、ＡＣ負荷８、および、ＤＣ負荷９に接続している。
【００１０】
太陽電池３は、光エネルギーを電気エネルギーに変換して出力する直流電源である。太陽電池３の出力電力は制御装置６へ供給される。
【００１１】
蓄電池４は、制御装置６から供給された電力を充電するとともに、充電した電力を制御装置６へ出力する。
【００１２】
燃料電池５は、例えばエタノール等の燃料と空気との反応により発電し、制御装置６へ電力を出力する。本実施形態の燃料電池５は、交流電力を出力する。
【００１３】
分電盤７は、制御装置６から出力された交流電力を複数の負荷へ供給する。すなわち、制御装置６からの交流電力供給ラインは分電盤７で分岐して、各負荷と接続している。なお、図１では１つのＡＣ負荷８のみを記載しているが、分電盤７には分岐回線ごとにＡＣ負荷を接続可能である。
【００１４】
制御装置６は、制御部６１、ＤＣバス６２、第１ＤＣ／ＤＣコンバータ６３、第２ＤＣ／ＤＣコンバータ６４、ＡＣ／ＤＣコンバータ６５、第３ＤＣ／ＤＣコンバータ６６、第１電力計測器６７、および、第２電力計測器６８を備えている。
【００１５】
第１ＤＣ／ＤＣコンバータ６３、第２ＤＣ／ＤＣコンバータ６４、ＡＣ／ＤＣコンバータ６５、および、第３ＤＣ／ＤＣコンバータ６６は、ＤＣバス６２により互いに接続している。
【００１６】
第１ＤＣ／ＤＣコンバータ６３は、太陽電池３から入力される直流電力を最大出力動作点追尾制御（ＭＰＰＴ制御）によって最大出力電力に制御するとともに、所定の直流電力に変換してＤＣバス６２に出力する。第１ＤＣ／ＤＣコンバータ６３から出力された電力は、ＤＣバス６２を介して、第２ＤＣ／ＤＣコンバータ６４、ＡＣ／ＤＣコンバータ６５、および、第３ＤＣ／ＤＣコンバータ６６へ供給される。
【００１７】
第２電力計測器６８は、第１ＤＣ／ＤＣコンバータ６３のＡＣ／ＤＣコンバータ６５側の出力ラインに取り付けられ、第１ＤＣ／ＤＣコンバータ６３から出力される電力を計測する。第２電力計測器６８は、計測した電力を制御部６１へ送信する。
【００１８】
第２ＤＣ／ＤＣコンバータ６４は双方向コンバータであって、蓄電池４から出力された電力を所定の電力に変換してＤＣバス６２へ出力するとともに、ＤＣバス６２から供給された電力を所定の電力に変換して蓄電池４へ出力する。
【００１９】
ＡＣ／ＤＣコンバータ６５は双方向コンバータであって、ＤＣバス６２から供給された電力を所定の交流電力に変換して出力するとともに、電力系統２および燃料電池５から出力された交流電力を所定の直流電力に変換してＤＣバス６２へ出力する。
【００２０】
第３ＤＣ／ＤＣコンバータ６６は、ＤＣバス６２から供給された電力を所定の電力に変換してＤＣ負荷９へ出力する。
【００２１】
第１電力計測器６７は、電力系統２から電力供給システム１へ供給される電力、および、電力供給システム１から電力系統２へ供給される電力を計測して制御部６１へ送信する。
【００２２】
制御部６１は、第１電力計測器６７及び第２電力計測器６８から受信した値を用いて、第２ＤＣ／ＤＣコンバータ６４及び燃料電池５の動作を制御する。ここで、制御部６１は、太陽電池３の余剰電力のみが電力系統２へ逆潮流するように第２ＤＣ／ＤＣコンバータ６４及び燃料電池５の動作を制御する。
【００２３】
例えば太陽電池、燃料電池、及び、蓄電池等、複数種類の電源を含む電力供給システムにおいては、太陽電池で発電された電力の余剰分のみが電力系統へ逆潮流することを認められている。そのため、このような電力供給システムでは、燃料電池と蓄電池とから出力される電力が逆潮流しないように、燃料電池および蓄電池が制御される必要がある。これにより、太陽電池による余剰電力のみが電力会社へ売電されるようになる。
【００２４】
また、系統電力が不足する場合などに、太陽電池の発電電力の余剰分を最大化したい場合や、ピークシフトを行う場合、また需要家からのＣＯ２発生量を最小化したい場合などの、蓄電池の充放電電力の様々な調整方法の実現が望まれていた。
【００２５】
そこで、本実施形態では、制御部６１は制御モードを切り替え可能である。制御部６１は、太陽電池３の売電量を最大化し、かつ夜間電力を最大限活用して昼間の消費電力を抑制するピークシフトモード（第１制御モード）と、電力供給システム１から電力系統２への逆潮流を防止し、太陽電池電力を最大限住宅内で消費する自家消費モード（第２制御モード）とを選択して制御することが可能である。
【００２６】
まず、ピークシフトモードでの制御部６１の動作を説明する。  
ピークシフトモードでは、制御部６１は、太陽電池３の発電電力以外の電力が逆潮流するのを防止するとともに、蓄電池４を夜間充電運転、昼間放電運転することにより、太陽電池３の売電を最大化し、電力系統２からの昼間の購入電力を最小化する制御を行う。
【００２７】
第１電力計測器６７により計測された電力（逆潮流電力）をＰｒｖｓ、第２電力計測器６８によって計測された太陽電池３の発電電力をＰｐｖ、蓄電池４からの充放電電力をＰｂａｔ、燃料電池５の発電出力をＰｆｃ、ＡＣ負荷８の消費電力をＰｌａｃ、ＤＣ負荷９の消費電力をＰｌｄｃとすると、電力供給システム１の電力バランス式は、  
Ｐｒｖｓ−Ｐｐｖ＝Ｐｂａｔ＋Ｐｆｃ−Ｐｌａｃ−Ｐｌｄｃ          （１）  
と表すことができる。なお、充放電電力Ｐｂａｔは蓄電池４の放電時に正となり充電時に負とする。
【００２８】
太陽電池３以外の逆潮流電力は、Ｐｒｖｓ−Ｐｐｖと表されるので、太陽電池３以外の電力が逆潮流するのを防止するためには、Ｐｒｖｓ−Ｐｐｖ＞０とならないように、蓄電池４の充放電電力Ｐｂａｔ及び、燃料電池５の発電電力Ｐｆｃを制御する。
【００２９】
図２は、Ｐｒｖｓ−Ｐｐｖの時間による推移の一例を示す図である。  
（ａ）のようにＰｒｖｓ−Ｐｐｖ＞０となっている部分は、太陽電池３以外の電力の逆潮流を示している。制御部６１は、太陽電池３以外の電力の逆潮流分が無くなるように蓄電池４の放電電力と燃料電池５の発電電力とを制御すればよい。Ｐｒｖｓ−Ｐｐｖ＞０の場合には、所定時間以内に、（１）式の右辺を小さくすることにより、Ｐｒｖｓ−Ｐｐｖ≦０となるようにすればよい。すなわち、制御部６１は、Ｐｒｖｓ−Ｐｐｖ＞０となっていると判断してから所定の時間以内に、蓄電池４から充放電電力Ｐｂａｔと燃料電池５の発電電力Ｐｆｃとの少なくとも一方を小さくして、逆潮流電力と太陽電池３の発電電力との差分に相当する電力分を相殺する。
【００３０】
制御部６１は、例えば、蓄電池４が放電運転を行っているときには放電量を減らし、充電運転を行っているときには充電量を増やすことにより、Ｐｒｖｓ−Ｐｐｖ≦０とすることができる。また、制御部６１は、例えば、蓄電池４が満充電の場合には、燃料電池５の発電電力Ｐｆｃを減らすことにより、Ｐｒｖｓ−Ｐｐｖ≦０とすることができる。これらの制御により、太陽電池３以外の技逆潮流を防止することができる。
【００３１】
また、電力系統２への売電を最大化し、電力系統２からの昼間の購入電力を最小化するためには、太陽電池３の発電電力の自己消費をゼロにするとともに、電力系統２からの購入電力をゼロにすればよい。図２（ｂ）のように、Ｐｒｖｓ−Ｐｐｖ＜０となっている部分が太陽電池３の発電電力の自己消費か、電力系統２から電力購入を示しており、この部分がなくなるように制御すればよい。
【００３２】
そのためには、ＡＣ負荷８及びＤＣ負荷９の昼間の消費電力をすべて蓄電池４の放電および燃料電池５の発電で賄えばよい。このとき、Ｐｂａｔ＋Ｐｆｃ＝Ｐｌａｃ＋Ｐｌｄｃが成り立つので、（１）式から、  
Ｐｒｖｓ−Ｐｐｖ＝Ｐｂａｔ＋Ｐｆｃ−Ｐｌａｃ−Ｐｌｄｃ＝０       （２）  
となるように制御すればよい。
【００３３】
Ｐｒｖｓ−Ｐｐｖ＞０の場合は、太陽電池３以外の電力の逆潮流分が無くなる上述の制御によりＰｒｖｓ−Ｐｐｖ≦０となるため、Ｐｒｖｓ−Ｐｐｖ＜０のときにＰｒｖｓ−Ｐｐｖ＝０とする場合について検討する。
【００３４】
Ｐｒｖｓ−Ｐｐｖ＜０の場合には、（１）式の右辺を大きくすることにより、Ｐｒｖｓ−Ｐｐｖ≧０となるようにすればよい。具体的には、制御部６１は、例えば燃料電池５の発電電力Ｐｆｃを増加させることにより、Ｐｒｖｓ−Ｐｐｖ≧０とすることができる。燃料電池５の発電出力が定格出力の場合には、燃料電池５の発電出力Ｐｆｃをこれ以上増加させることができないので、蓄電池４の充放電電力Ｐｂａｔを大きくする、すなわち、蓄電池４が放電運転を行っているときには放電量を増やし、充電運転を行っているときには充電量を減らすことにより、Ｐｒｖｓ−Ｐｐｖ≧０とすることができる。
【００３５】
これらにより、制御部６１は、Ｐｒｖｓ＝Ｐｐｖとなるように制御することができるので、太陽電池３の発電出力をすべて電力系統２へ売電するか、電力系統２からの買電をゼロにすることができる。
【００３６】
さらに、制御部６１は、蓄電池４が、許容される上限値まで夜間電力を充電し、許容される下限値まで昼間放電するように制御することで、ピーク電力をオフピーク時間帯にシフトすることができる。このとき、蓄電池４が夜間電力を充電する電力量は、過去の消費電力から予測される昼間の消費電力量予測値としてもよい。この消費電力の予測値は、過去の昼間の消費電力の平均値を用いることも可能であり、また、気温と消費電力との相関を回帰分析により求めたものを使用することも可能である。
【００３７】
次に、本実施形態の電力供給システム１の動作の一例を説明する。  
図３は、本実施形態の電力供給システム１の動作の一例を説明するフローチャートである。ここでは、昼間の機器消費電力を夜間にシフトするピークシフト運転を行う場合について説明する。
【００３８】
制御部６１は、蓄電池４の充電上限値と充電下限値とを設定する（ステップＳ２００）。蓄電池４の充電上限値および充電下限値は、予めメモリ（図示せず）等に記憶されている。
【００３９】
次に、制御部６１は、現在時刻を取得して、あらかじめ設定された充電開始時刻を過ぎたかどうかを確認する（ステップＳ２０１）。なお、蓄電池４の充電開始時刻、充電終了時刻、放電開始時刻、及び、放電終了時刻は、予めメモリ（図示せず）等に記憶されている。
【００４０】
現在時刻が充電開始時刻を過ぎていない場合（ステップＳ２０１でＮＯの場合）、制御部６１は、ステップＳ２０１の判断を繰り返し実行する。
【００４１】
現在時刻が充電開始時刻を過ぎた場合（ステップＳ２０１でＹＥＳの場合）、制御部６１は、蓄電池４の充電量を算出する（ステップＳ２０２）。なお、制御部６１は、例えば充電開始時刻と充電終了時刻と、充電上限値、充電下限値、および充電残量から、
充電量［Ｗ］＝（充電上限値−充電下限値−充電残量）［Ｗｈ］
÷（充電終了時刻−充電終了時刻−ΔＴ）［ｈ］            （３）
により蓄電池４の充電量を算出する。ここで、ΔＴはマージンである。
【００４２】
続いて、制御部６１は、第２ＤＣ／ＤＣコンバータ６４を制御して蓄電池４を充電運転する（ステップＳ２０３）。このとき、蓄電池４の充電電力とＡＣ負荷８の消費電力とＤＣ負荷９の消費電力とは電力系統２から供給される電力により賄われる。
【００４３】
なお、制御部６１は、蓄電池４の充電開始時刻から充電終了時刻までの間、燃料電池５からの出力を停止する。
【００４４】
制御部６１は、蓄電池４の充電量が充電上限値に達したかどうかを確認し（ステップＳ２０４）、充電上限値に達していれば（ステップＳ２０４でＹＥＳ）、第２ＤＣ／ＤＣコンバータ６４を通じて蓄電池４の充電運転を停止する（ステップＳ２０６）。
【００４５】
また、蓄電池４の充電量が充電上限値に達していなければ（ステップＳ２０４でＮＯ）、次に、制御部６１は、現在時刻が充電終了時刻を過ぎたかどうかを確認する（ステップＳ２０５）。
【００４６】
現在時刻が充電終了時刻を過ぎていれば（ステップＳ２０５でＹＥＳ）、制御部６１は、第２ＤＣ／ＤＣコンバータ６４を通じて蓄電池４の充電運転を停止する（ステップＳ２０６）。
【００４７】
現在時刻が充電終了時刻を過ぎていなければ（ステップＳ２０５でＮＯ）、制御部６１は、再びステップＳ２０３に戻り、充電運転を継続する。
【００４８】
次に、制御部６１は、現在時刻があらかじめ設定された放電開始時刻を過ぎたかどうかを確認する（ステップＳ２０７）。なお、本実施形態では、充電終了時刻と放電開始時刻とは同時刻として説明するが、充電終了時刻と放電開始時刻とは異なる時刻であってもよい。
【００４９】
現在時刻が放電開始時刻を過ぎた場合（ステップＳ２０７でＹＥＳ）、制御部６１は、第１電力計測器６７で計測した逆潮流電力Ｐｒｖｓと第２電力計測器６８で計測したＰＶ発電電力Ｐｐｖとが等しく（Ｐｒｖｓ＝Ｐｐｖ）なるように、第２ＤＣ／ＤＣコンバータ６４を通じて蓄電池４を充放電する、あるいは、燃料電池５の出力を調整する（ステップＳ２０８）。
【００５０】
制御部６１は、蓄電池４の充電量が充電下限値に達したかどうかを確認し（ステップＳ２０９）、充電下限値に達していれば（ステップＳ２０９のＹＥＳ）、第２ＤＣ／ＤＣコンバータ６４を通じて蓄電池４の放電運転を停止する（ステップＳ２１１）。
【００５１】
また、蓄電池４の充電量が充電下限値に達していなければ（ステップＳ２０９でＮＯ）、制御部６１は、現在時刻が放電終了時刻を過ぎたかどうかを確認する（ステップＳ２１０）。なお、本実施形態では、放電終了時刻と充電開始時刻とは同時刻として説明するが、放電終了時刻と充電開始時刻とは異なる時刻であってもよい。
【００５２】
現在時刻が放電終了時刻を過ぎていれば（ステップＳ２１０でＹＥＳ）、制御部６１は、第２ＤＣ／ＤＣコンバータ６４を通じて蓄電池４の放電運転を停止する（ステップＳ２１１）。
【００５３】
現在時刻が放電終了時刻を過ぎていなければ（ステップＳ２１０でＮＯ）、制御部６１は、再びステップＳ２０８に戻り、蓄電池４の放電運転を継続する。
【００５４】
図４は、図３に示すフローチャートに沿って制御された電力供給システム１の運転結果の一例を示す図である。
【００５５】
機器電力需要は、ＡＣ負荷８とＤＣ負荷９との消費電力の合計である。燃料電池５は定格（出力上限値）の一定出力を保ちながら、昼間の機器消費電力と、昼間の蓄電池４の充放電電力と燃料電池５の発電電力との合計が一致するように蓄電池４が制御されている。これにより昼間の電力系統２からの購入電力はゼロとなり、太陽電池３の発電電力はすべて電力系統２へ売電される。
【００５６】
図４に示す場合では、制御部６１は、燃料電池５の出力を最大とし、燃料電池５の出力よりも負荷消費電力が大きい場合には不足分の電力を蓄電池４から出力し、燃料電池５の出力よりも負荷消費電力が小さい場合には燃料電池５から出力された電力の余剰分を蓄電池４へ充電する。
【００５７】
また、夜間（充電開始時刻から充電終了時刻まで）は、蓄電池４への充電運転を行っており、電力系統２からの購入電力は、機器消費電力と蓄電池４への充電電力とを加えたものである。
【００５８】
以上により、本実施形態の電力供給システム１によれば、逆潮流電力Ｐｒｖｓが太陽電池３の発電電力Ｐｐｖを上回ることがなくなり、太陽電池３の発電電力以外の電力が逆潮流するのを防止することができる。また、太陽電池３の発電電力はすべて電力系統２へ売電することができる。このように、昼間（放電開始時刻から放電終了時刻まで）の機器消費電力を夜間にシフトするピークシフト運転が実現される。
【００５９】
次に、自家消費モードが選択された場合の制御部６１の動作の一例について説明する。  
自家消費モードでは、制御部６１は、太陽電池３の発電電力が逆潮流するのを防止する制御を行うとともに、電力系統２からの購入電力を最小化する制御を行う。（１）式から、  
Ｐｒｖｓ＝Ｐｐｖ＋Ｐｂａｔ＋Ｐｆｃ−Ｐｌａｃ−Ｐｌｄｃ          （４）  
と表されるので、太陽電池３の発電電力が逆潮流するのを防止するには、逆潮流電力ＰｒｖｓそのものがＰｒｖｓ＞０とならないように、蓄電池４の充放電電力Ｐｂａｔ及び、燃料電池５の発電電力Ｐｆｃを制御する。
【００６０】
図５は、逆潮流電力Ｐｒｖｓの時間による推移の一例を示す図である。  
（ａ）のようにＰｒｖｓ＞０となっている部分が太陽電池３の発電電力を含む電力の逆潮流を示しており、制御部６１は、所的時間内に、この部分の電力が相殺するように蓄電池４の充放電電力および燃料電池５の発電電力を制御すればよい。
【００６１】
Ｐｒｖｓ＞０の場合には、（３）式の右辺を小さくすることにより、Ｐｒｖｓ≦０となるようにすればよい。具体的には、制御部６１は、例えば蓄電池４の充放電電力Ｐｂａｔを小さくする。すなわち、制御部６１は、蓄電池４が放電運転を行っているときには放電量を減らし、蓄電池４が充電運転を行っている場合には充電量を増やすことにより、逆潮流電力Ｐｒｖｓを減らすことができる。また、蓄電池４が満充電の場合には、燃料電池５の発電電力を減少させることにより、逆潮流電力Ｐｒｖｓを減らし、Ｐｒｖｓ≦０とすることができる。これらの制御により、逆潮流電力Ｐｒｖｓを０以下に抑えることができる。
【００６２】
また、電力系統２からの購入電力を最小化するためには、電力系統２からの購入電力をゼロにすればよい。図５の（ｂ）のように、Ｐｒｖｓ＜０となっている部分が電力系統２からの電力購入を示しており、制御部６１がこの部分（ｂ）がなくなるように制御すればよい。
【００６３】
そのためには、ＡＣ負荷８及びＤＣ負荷９の消費電力をすべて、太陽電池３の発電、蓄電池４の放電、および燃料電池５の発電で賄えばよい。このとき、Ｐｐｖ＋Ｐｂａｔ＋Ｐｆｃ＝Ｐｌａｃ＋Ｐｌｄｃが成り立つので、（４）式から、  
Ｐｒｖｓ＝Ｐｐｖ＋Ｐｂａｔ＋Ｐｆｃ−Ｐｌａｃ−Ｐｌｄｃ＝０       （２）´  
となるように制御すればよい。
【００６４】
Ｐｒｖｓ＞０の場合は上記の制御によりＰｒｖｓ≦０とできるので、Ｐｒｖｓ＜Ｐｐｖの場合を考える。
【００６５】
Ｐｒｖｓ＜０の場合には、制御部６１は、燃料電池５の発電電力を増加させることにより、逆潮流電力Ｐｒｖｓ≧０とできる。燃料電池５の発電出力が定格出力の場合には、燃料電池５の発電出力Ｐｆｃをこれ以上増加させることができないので、蓄電池４の充放電電力Ｐｂａｔを大きくする。すなわち、制御部６１は、蓄電池４が放電運転を行っているときには放電量を増やし、充電運転を行っているときには充電量を減らすことにより、逆潮流電力Ｐｒｖｓを増やすことができる。
【００６６】
これらにより、Ｐｒｖｓ＝０となるように制御することができるので、電力系統２からの購入電力を減らし、太陽電池３で発電した自然エネルギーを最大限住宅内で消費することができる。
【００６７】
図６は、本実施形態の電力供給システム１の動作の他の例を説明するフローチャートである。ここでは、太陽電池３の発電電力による逆潮流を防止し、太陽電池電力を最大限住宅内で消費する自家消費運転を行う場合について説明する。  
まず、制御部６１は、第１電力計測器６７で計測した逆潮流電力がゼロより大きい（Ｐｒｖｓ＞０）かどうかをさらに判断する（ステップＳ３０１）。
【００６８】
逆潮流電力Ｐｒｖｓ＞０の場合（ステップＳ３０１のＹＥＳ）、制御部６１は、逆潮流電力Ｐｒｖｓが減少するように、第２ＤＣ／ＤＣコンバータ６４を通じて蓄電池４の放電電力を減少させるか、充電電力を増加させるか、あるいは、燃料電池５の発電出力を減少させる（ステップＳ３０２）。
【００６９】
第１電力計測器６７で計測した逆潮流電力がゼロ未満（Ｐｒｖｓ＜０）の場合は（ステップＳ３０１のＮＯ）、制御部６１は、逆潮流電力Ｐｒｖｓが増加するように、燃料電池５の発電出力を増加させるか、第２ＤＣ／ＤＣコンバータ６４を通じて蓄電池４の放電電力を増加させるか、あるいは充電電力を減少させる（ステップＳ３０３）。
【００７０】
上記のように制御することにより、逆潮流電力Ｐｒｖｓが発生することがなくなり、太陽電池３の発電電力をすべて住宅内で使用することが可能となる。
【００７１】
図７はこの図６に示すフローに沿って制御された電力供給システム１の運転結果の一例を示す図である。
【００７２】
機器消費電力は、ＡＣ負荷８とＤＣ負荷９との消費電力の合計である。燃料電池５は定格一定出力を保っている。太陽電池３の発電電力と蓄電池４の充放電電力と燃料電池５の発電電力との合計と機器消費電力とが一致するように、制御部６１は蓄電池４の充放電電力を制御する。これにより一日を通じて電力系統２からの購入電力はゼロとなる。
【００７３】
本実施形態によれば、ピークシフトモードにおいては、逆潮流電力Ｐｒｖｓが太陽電池３の発電電力Ｐｐｖを上回らないように制御されるため、太陽電池３以外の電力の逆潮流を防止することができる。
【００７４】
また、逆潮流電力Ｐｒｖｓが太陽電池３の発電電力Ｐｐｖに一致するように、蓄電池４の充放電電力あるいは燃料電池５の発電出力が制御されることにより、太陽電池３の発電電力をすべて売電することができ、自然エネルギーを電力系統２で最大限活用することができる。
【００７５】
さらに、昼間蓄電池４から放電する電力を夜間に充電することで、ピークシフトを実現することができ、電力系統２の設備容量の低減に寄与することができる。
【００７６】
また、自家消費モードにおいては、太陽電池３で発電して余剰になった電力をいったん蓄電池４に蓄えておき、太陽電池３で発電した電力が余剰でなくなったときには蓄電池４を放電することで、太陽電池３で発電した自然エネルギーを最大限需要家内で消費することができる。また、逆潮流電力Ｐｒｖｓがゼロとなるように制御することにより、系統電力の使用を最小限に抑えることができる。
【００７７】
すなわち、本実施形態によれば、複数種類の電源を備え、電力系統２へ逆潮流可能な電力供給システム１を提供することができる。
【００７８】
図８は、第１実施形態の電力供給システム１の他の例を示す図である。この例では、電力供給システム１は燃料電池５に代えて直流出力のＤＣ燃料電池５０を有し、制御装置６は、ＤＣ燃料電池５０とＤＣバス６２との間に介在する第４ＤＣ／ＤＣコンバータ６９をさらに備えている。ＤＣ燃料電池５０の発電出力指令は、第４ＤＣ／ＤＣコンバータ６９を通じて行われる。
【００７９】
このように構成された電力供給システム１においても、図１に示す電力供給システム１の燃料電池５の発電出力制御を本実施例における第３ＤＣ／ＤＣコンバータ６９を介したＤＣ燃料電池５０の発電出力制御に変更することにより、同様の効果を得ることができる。
【００８０】
次に、第２実施形態の電力供給システムについて図面を参照して説明する。なお、以下の説明において、上述の第１実施形態と同様の構成に付いては同一の符号を付して説明を省略する。
【００８１】
図９は、本実施形態の電力供給システム１の一構成例を概略的に示すブロック図である。本実施形態の電力供給システム１は、第２電力計測器６８、第３ＤＣ／ＤＣコンバータ６６、及び、ＤＣ負荷９を備えず、第３電力計測器７０を更に備える。このことに伴い、本実施形態の電力供給システム１は、電力系統２、燃料電池５、制御装置６、及び、分電盤７の接続と、制御装置６の構成と、制御部６１の動作とが上述の第１実施形態と異なっている。
【００８２】
第３電力計測器７０は、分電盤７と制御装置６との間の電力供給ラインに設置され、燃料電池５とＡＣ負荷８とを含むＡＣ系統の受電端の電力を計測する。計測した受電端電力Ｐｒｃｖは制御部６１に出力されるとともに、燃料電池５にも出力される。
【００８３】
燃料電池５は分電盤７に接続されている。燃料電池５は、第３電力計測器７０により計測された受電端電力Ｐｒｃｖの値を受信し、受電端電力Ｐｒｃｖが逆潮流しないように出力電力を制御する制御手段（図示せず）を備えている。燃料電池５は、受電端電力Ｐｒｃｖが逆潮流しないように、例えば逆潮流防止ヒータ（図示せず）を作動させる。
【００８４】
制御部６１は、第１電力計測器６７および第３電力計測器７０から受信した値を用いて、第２ＤＣ／ＤＣコンバータ６４の動作を制御する。ここで、制御部６１は、太陽電池３の発電電力の余剰分のみが電力系統２へ逆潮流するように第２ＤＣ／ＤＣコンバータ６４の動作を制御する。
【００８５】
本実施形態の電力供給システム１においても、上述の第１実施形態と同様に制御モードを切り替えることにより、太陽電池３による売電量を最大化し、かつ夜間電力を最大限活用して昼間の消費電力を抑制するピークシフトモードと、太陽電池３の発電電力による逆潮流を防止し、太陽電池電力を最大限住宅内で消費する自家消費モードとを選択して制御することができる。
【００８６】
以下に、本実施形態の電力供給システム１におけるピークシフトモードでの制御部６１の動作を説明する。  
制御部６１は、太陽電池３の発電電力以外の電力が逆潮流するのを防止する制御を行う。具体的には、制御部６１は、蓄電池４の放電量が、第３電力計測器７０により計測された受電端電力Ｐｒｃｖを上回らないようにする。受電端電力Ｐｒｃｖは、ＡＣ負荷８での消費電力から燃料電池５の出力電力を引いた値（Ｐｒｃｖ＝Ｐｌａｃ−Ｐｆｃ）である。
【００８７】
また、制御部６１は、第３電力計測器７０により計測された受電端電力Ｐｒｃｖとちょうど一致する電力を蓄電池４から放電することにより、太陽電池３の発電電力をすべて系統へ売電することができる。
【００８８】
さらに、制御部６１は、蓄電池４が、許容される上限値まで夜間電力を充電し、昼間に許容される下限値まで放電するように制御することで、ピーク電力をオフピーク時間帯にシフトすることができる。このとき、蓄電池４が夜間電力を充電する電力量は、過去の消費電力から予測される昼間の消費電力量予測値としてもよい。この消費電力の予測値は、過去の昼間の消費電力の平均値を用いることも可能であり、また、気温と消費電力との相関を回帰分析により求めたものを使用することも可能である。
【００８９】
図１０は、本実施形態の電力供給システム１の動作の一例を説明するフローチャートである。
【００９０】
まず、制御部６１は、蓄電池４の充電上限値と充電下限値とを設定する（ステップＳ１０００）。蓄電池４の充電上限値と充電下限値とは、例えば、蓄電池４の充放電電流の積算値で設定される。
【００９１】
次に、制御部６１は、現在時刻が充電開始時刻を過ぎたかどうかを確認する（ステップＳ１００１）。なお、蓄電池４の充電開始時刻、充電終了時刻、放電開始時刻、及び、放電終了時刻は、予めメモリ（図示せず）等に記憶されている。
【００９２】
現在時刻が充電開始時刻を過ぎた場合（ステップＳ１００１でＹＥＳ）、制御部６１は、蓄電池４の充電電力を算出する（ステップＳ１００２）。なお、制御部６１は、例えば充電開始時刻と充電終了時刻と、充電上限値、充電下限値、および充電残量から、（３）式により蓄電池４の充電量を算出する。
【００９３】
続いて、制御部６１は、第２ＤＣ／ＤＣコンバータ６４を通じて蓄電池４を充電運転する（ステップＳ１００３）。
【００９４】
制御部６１は、蓄電池４の充電量が充電上限値に達したかどうかを確認し（ステップＳ１００４）、充電上限値に達していれば（ステップＳ１００４でＹＥＳ）、第２ＤＣ／ＤＣコンバータ６４を通じて蓄電池４の充電運転を停止する（ステップＳ１００６）。
【００９５】
また、充電上限値に達していなければ（ステップＳ１００４でＮＯ）、次に、制御部６１は現在時刻が充電終了時刻を過ぎたかどうかを確認し（ステップＳ１００５）、現在時刻が充電終了時刻を過ぎていれば（ステップＳ１００５でＹＥＳ）、第２ＤＣ／ＤＣコンバータ６４を通じて蓄電池４の充電運転を停止する（ステップＳ１００６）。
【００９６】
現在時刻が充電終了時刻を過ぎていなければ（ステップＳ１００５でＮＯ）、制御部６１は、再びステップＳ１００３に戻り、充電運転を継続する。
【００９７】
次に、制御部６１は、現在時刻が放電開始時刻を過ぎたかどうかを確認する（ステップＳ１００７）。なお、本実施形態では、充電終了時刻と放電開始時刻とは同時刻として説明するが、充電終了時刻と放電開始時刻とは異なる時刻であってもよい。
【００９８】
現在時刻が放電開始時刻を過ぎた場合（ステップＳ１００７でＹＥＳ）、制御部６１は、蓄電池４の放電量が、第３電力計測器７０により計測された受電端電力Ｐｒｃｖを上回らないようにする。すなわち、制御部６１は、第３電力計測器７０で計測した受電端電力ＰｒｃｖがＰｒｃｖ≧０の範囲で受電端電力Ｐｒｃｖが減少する（ゼロ又は正となる）ように第２ＤＣ／ＤＣコンバータ６４を通じて蓄電池４から放電させる（ステップＳ１００８）。なお、ここでは電力系統２から分電盤７へ電力が供給されるときに受電端電力Ｐｒｃｖは正、分電盤７から電力系統２への電力が供給されるときに受電端電力Ｐｒｃｖは負であるとする。
【００９９】
そして、制御部６１は、蓄電池４の充電量が充電下限値に達したかどうかを判断し（ステップＳ１００９）、充電下限値に達していれば（ステップＳ１００９のＹＥＳ）、第２ＤＣ／ＤＣコンバータ６４を通じて蓄電池４の放電運転を停止する（ステップＳ１０１１）。
【０１００】
また、ステップＳ１００９で充電下限値に達していなければ（ステップＳ１００９でＮＯ）、制御部６１は、現在時刻が放電終了時刻を過ぎたかどうかを判断し（ステップＳ１０１０）、現在時刻が放電終了時刻を過ぎていれば（ステップＳ１０１０でＹＥＳ）、第２ＤＣ／ＤＣコンバータ６４を通じて蓄電池４の放電運転を停止する（ステップＳ１０１１）。なお、本実施形態では、放電終了時刻と充電開始時刻とは同時刻として説明するが、放電終了時刻と充電開始時刻とは異なる時刻であってもよい。
【０１０１】
現在時刻が放電終了時刻を過ぎていなければ（ステップＳ１０１０でＮＯ）、再びステップＳ１００８に戻り、放電運転を継続する。
【０１０２】
これにより、蓄電池４の放電電力と燃料電池５の発電電力との合計がＡＣ負荷８による消費電力を上回ることがなくなり、太陽電池３の発電電力以外の電力が逆潮流するのを防止することができる。また、ＡＣ負荷８による電力負荷を蓄電池４および燃料電池５により賄うので、太陽電池３の発電電力はすべて電力系統２へ売電することができる。
【０１０３】
図１１は、本実施形態の電力供給システム１の運転結果の一例を示す図である。  
機器電力需要はＡＣ負荷８の消費電力の合計であり、昼間のＡＣ負荷８の消費電力が燃料電池５の定格出力以上の場合には、蓄電池４の充放電電力と燃料電池５の発電電力との合計が一致するように蓄電池４が制御される。
【０１０４】
しかし、昼間、ＡＣ負荷８での消費電力が燃料電池５の定格出力（出力上限値）を下回っている場合には、燃料電池５の発電出力は、第３電力計測器７０により計測された受電端電力が逆潮流しないように制御されるため、ＡＣ負荷８の消費電力を上限とした出力をとる。したがって、この時間帯では燃料電池５は定格一定運転を行うことができず、部分負荷運転となる。そして、ＡＣ負荷８の消費電力のうち、燃料電池５により電力供給されなかった分は、蓄電池４の放電電力により供給される。
【０１０５】
結果として、昼間の電力系統２からの購入電力はゼロとなり、太陽電池３の発電電力はすべて電力系統２へ売電される。また、夜間は、蓄電池４への充電運転を行っており、電力系統２からの購入電力は、機器消費電力に蓄電池４への充電電力を加えたものとなる。
【０１０６】
以上により、昼間の機器消費電力を夜間にシフトするピークシフト運転を実現することができる。
【０１０７】
次に、本実施形態の電力供給システム１において、自家消費モードで運転する制御部６１の動作について説明する。
【０１０８】
制御部６１は、太陽電池３の発電電力が逆潮流するのを防止する制御を行う。具体的には、第１電力計測器６７により計測された逆潮流電力Ｐｒｖｓと同じ電力を蓄電池４に充電する。
【０１０９】
また、制御部６１は、太陽光発電からの余剰電力が発生しない時間帯に、蓄電池４の放電量が、第３電力計測器７０により計測された受電端電力Ｐｒｃｖを上回らないように制御する。これにより蓄電池４からの電力が逆潮流するのを防止することができる。
【０１１０】
さらに、制御部６１は、太陽光発電からの余剰電力が発生しない時間帯には、第３電力計測器７０により計測された受電端電力Ｐｒｃｖと同じ電力を蓄電池４から放電する。太陽電池３で発電して余剰になった電力をいったん蓄電池４に蓄えておき、太陽電池３で発電した電力が余剰でなくなったときには蓄電池４から放電することで、太陽電池３で発電した自然エネルギーを最大限住宅内で消費することができる。
【０１１１】
図１２は、第２実施形態の電力供給システムの動作の他の例を説明するフローチャートである。制御部６１は、図１２に示すフローチャートの手順に従って電力供給システム１の制御を行う。
【０１１２】
まず、制御部６１は、第１電力計測器６７で計測した電力に基づいて、逆潮流が発生しているかどうかを判断する（ステップＳ１２０１）。
【０１１３】
逆潮流が発生している場合（ステップＳ１２０１のＹＥＳ）、制御部６１は、逆潮流電力Ｐｒｖｓに相当する電力を第２ＤＣ／ＤＣコンバータ６４を通じて蓄電池４に充電させる（ステップＳ１２０２）。
【０１１４】
逆潮流が発生していない場合は（ステップＳ１２０１のＮＯ）、第３電力計測器７０で計測した受電端電力Ｐｒｃｖに相当する電力を第２ＤＣ／ＤＣコンバータ６４を通じて蓄電池４から放電させる（ステップＳ１２０３）。
【０１１５】
これにより、蓄電池４の放電電力と燃料電池５の発電電力との合計がＡＣ負荷８による消費電力を上回ることがなくなり、太陽電池３の発電電力以外の電力が電力系統２へ逆潮流するのを防止することができる。また、ＡＣ負荷８による消費電力を蓄電池４および燃料電池５により賄うので、太陽電池３の発電電力はすべて電力系統２へ売電することができる。
【０１１６】
図１３は、図１２に示すフローに沿って制御された本実施形態の電力供給システム１の運転結果の一例を示す図である。  
機器消費電力はＡＣ負荷８の消費電力であり、昼間のＡＣ負荷８の消費電力が燃料電池５の定格出力以上の場合、機器消費電力は、太陽電池３の発電電力と、蓄電池４の充放電電力と、燃料電池５の発電電力との合計と一致するように蓄電池４が制御される。
【０１１７】
しかし、昼間、ＡＣ負荷８の消費電力が燃料電池５の定格出力（出力上限値）を下回っている場合には、燃料電池５の発電出力は、第３電力計測器７０により計測された受電端電力が逆潮流しないように制御されるため、ＡＣ負荷８の消費電力を上限とした出力をとる。
【０１１８】
したがって、この時間帯では燃料電池５は定格一定運転を行うことができず、部分負荷運転となる。ＡＣ負荷８の消費電力のうち、太陽電池３および燃料電池５により電力供給されなかった部分は、蓄電池４の放電運転により電力が供給される。以上により、一日を通じて電力系統２からの購入電力はゼロとなる。
【０１１９】
本実施形態の電力供給システム１によれば、ピークシフトモードにおいては、蓄電池４の放電電力が受電端電力Ｐｒｃｖを上回らないように制御されるので、太陽電池３以外の電力の逆潮流を防止することができる。
【０１２０】
また、蓄電池４の放電電力が受電端電力Ｐｒｃｖに一致するように制御されることにより、太陽電池３の発電電力をすべて売電することができ、自然エネルギーを電力系統２で最大限活用することができる。
【０１２１】
さらに、昼間、蓄電池４から放電する電力を夜間に充電することで、ピークシフトを実現することができ、電力系統２の設備容量の低減に寄与することができる。
【０１２２】
また、自家消費モードにおいては、太陽電池３で発電して余剰になった電力をいったん蓄電池４に蓄えておき、太陽電池３で発電した電力が余剰でなくなったときには蓄電池４から放電することで、太陽電池３で発電した自然エネルギーを最大限住宅内で消費することができる。
【０１２３】
また、蓄電池４の放電電力が受電端電力Ｐｒｃｖを上回らないように制御されるので、太陽電池３以外の電力の逆潮流を防止することができる。さらに、蓄電池４の放電電力が受電端電力Ｐｒｃｖに一致するように制御されることにより、系統電力の使用を最小限に抑えることができる。
【０１２４】
図１４は、第２実施形態の電力供給システム１の他の構成例を概略的に示すブロック図である。
【０１２５】
この例では、電力供給システム１は、第２電力計測器６８をさらに備えている。第２電力計測器６８での計測結果（太陽電池３の発電電力）は制御部６１へ送信される。制御部６１は、第２電力計測器６８から受信した太陽電池３の発電電力の値を受信時刻とともにメモリ等に記録する。
【０１２６】
このように、第２電力計測器６８をさらに備え太陽電池３の発電電力を記録することにより、ユーザは、電力系統２への逆潮流電力が太陽電池３の発電電力を超えていないことを後に確認することが可能となる。
【０１２７】
上記以外の構成は図９に示す電力供給システム１と同様である。この場合であっても上述の電力供給システム１と同様に、制御部６１は制御モードを選択して電力供給システム１を制御することが可能であり、同様の効果を得ることができる。
【０１２８】
なお、第２電力計測器６８を備える電力供給システム１では、ＤＣバス６２に第３ＤＣ／ＤＣコンバータ６６を介してＤＣ負荷９を接続してもよい。その場合には、制御部６１は、第１電力計測器６７で計測された逆潮流電力が第２電力計測器６８で計測された電力を超えないように第２ＤＣ／ＤＣコンバータ６４を制御することで上述の第１実施形態と同様の効果を得ることができる。
【０１２９】
次に、第３実施形態の電力供給システム１について図面を参照して説明する。  
図１５は、本実施形態の電力供給システム１の一構成例を概略的に示すブロック図である。
【０１３０】
本実施形態の電力供給システム１は、制御装置６が通信部６０を有している。通信部６０は、通信ネットワーク１０を介してサーバ１１と通信可能に構成されている。通信部６０は、例えばサーバ１１から電力供給システム１の運転スケジュールを受信して制御部６１へ送信する。
【０１３１】
本実施形態の電力供給システム１において、太陽電池３による売電量を最大化し、かつ夜間電力を最大限活用して昼間の消費電力を抑制するピークシフトモードについて説明する。
【０１３２】
ピークシフトモードでは、制御部６１は、太陽電池３の発電電力以外の電力が逆潮流するのを防止するとともに、蓄電池４を夜間充電運転、昼間放電運転することにより、太陽電池３の売電を最大化し、電力系統２からの昼間の購入電力を最小化する制御を行う。
【０１３３】
本実施形態では、まず、制御部６１は、通信部６０により、通信ネットワーク１０を介してサーバ１１より蓄電池４および燃料電池５の運転スケジュールを受信する。
【０１３４】
図１６は、サーバ１１から通信部６０へ送信される蓄電池４および燃料電池５の運転スケジュールの一例を示す図である。
【０１３５】
図１６では、１時間単位で蓄電池４の充放電電力量［Ｗｈ］と燃料電池５の発電電力量[Ｗｈ]との一例を示している。蓄電池４の充放電電力量は正のときが蓄電池４の放電であり、負のときが蓄電池４の充電である。
【０１３６】
例えば時刻０時以降１時になるまでの１時間では、蓄電池４は８００［Ｗｈ］だけ充電し、燃料電池５は停止している。時刻が７時になると燃料電池５の運転を開始し、時刻７時以降８時になるまでの１時間では、蓄電池４は１００［Ｗｈ］だけ放電し、燃料電池５は７００［Ｗｈ］発電する。時刻が２３時になると燃料電池５は停止する。
【０１３７】
サーバ１１は、例えば、過去の消費電力の履歴や天候情報（天気、気温等）や、これらの相関に基づいて、運転スケジュールを決定する。
【０１３８】
制御部６１は、受信した運転スケジュールに従って蓄電池４および燃料電池５を運転し、第１実施形態のピークシフトモードと同様に、太陽電池３以外の電力が逆潮流するのを防止するために、Ｐｒｖｓ−Ｐｐｖ＞０とならないように、蓄電池４の充放電電力Ｐｂａｔ及び、燃料電池５の発電電力Ｐｆｃを制御する。
【０１３９】
したがって、Ｐｒｖｓ−Ｐｐｖ＞０の場合には、制御部６１は、蓄電池４の充放電電力Ｐｂａｔを小さくすることにより、Ｐｒｖｓ−Ｐｐｖ≦０とするか、蓄電池４が満充電の場合には、燃料電池５の発電電力Ｐｆｃを小さくすることにより、Ｐｒｖｓ−Ｐｐｖ≦０とすることができる。これらの制御により、太陽電池３以外の技逆潮流を防止することができる。
【０１４０】
図１７は、第３実施形態の電力供給システムの動作の一例を説明するフローチャートである。
【０１４１】
最初に、通信部６０は、通信ネットワーク１０を介してサーバ１１より蓄電池４および燃料電池５の運転スケジュールを受信する（ステップＳ１６００）。通信部６０は、受信した運転スケジュールを制御部６１へ送信する。
【０１４２】
続いて、制御部６１は、通信部６０から受信した運転スケジュールに従い、蓄電池４および燃料電池５の出力を設定する（ステップＳ１６０１）。
【０１４３】
次に、制御部６１は、第１電力計測器６７で計測した逆潮流電力Ｐｒｖｓと、第２発電電力計測器６８で計測したＰＶ発電電力Ｐｐｖが、Ｐｒｖｓ−Ｐｐｖ＞０を満たすか否か判断する（ステップＳ１６０２）。
【０１４４】
Ｐｒｖｓ−Ｐｐｖ＞０の場合（ステップＳ１６０２のＹＥＳ）、逆潮流電力Ｐｒｖｓが減少するように、第２ＤＣ／ＤＣコンバータ６４を通じて蓄電池４の放電電力を減少させるか、充電電力を増加させるか、あるいは、燃料電池５の発電出力を減少させる（ステップＳ１６０３）。
【０１４５】
続いて、制御部６１は、蓄電池４の充電量が充電上限値に達したかどうかを判断し（ステップＳ１６０４）、充電上限値に達していれば（ステップＳ１６０４のＹＥＳ）、第２ＤＣ／ＤＣコンバータ６４を通じて蓄電池４の充放電運転を停止する（ステップＳ１６０５）。
【０１４６】
ステップＳ１６０４で蓄電池４の充電量が充電下限値に達していなければ（ステップＳ１６０４でＮＯ）、制御部６１は、運転スケジュールが終了したかどうか判断する（ステップＳ１６０７）。
【０１４７】
蓄電池４の充電量が充電上限値に達していなければ（ステップＳ１６０７のＮＯ）、制御部６１は、再びステップＳ９０１に戻り、蓄電池４の放電運転を継続する。
【０１４８】
以上により、逆潮流電力ＰｒｖｓがＰＶ発電電力Ｐｐｖを上回ることがなくなり、太陽電池３の発電電力以外の電力が逆潮流するのを防止することができる。また、太陽電池３の発電電力はすべて電力系統２へ売電することができる。
【０１４９】
図１８は、図１７に示すフローに沿って制御された電力供給システム１の運転結果の一例を示す図である。
【０１５０】
機器電力需要はＡＣ負荷８とＤＣ負荷９との消費電力の合計であり、燃料電池５は定格一定出力を保ちながら、機器消費電力は、太陽電池３の発電と、蓄電池４の充放電電力と、燃料電池５の発電電力との合計と一致するように、蓄電池４が制御される。これにより一日を通じて電力系統２からの購入電力はゼロとなる。
【０１５１】
本実施形態によれば、ピークシフトモードにおいては、逆潮流電力ＰｒｖｓがＰＶ発電電力Ｐｐｖを上回らないように制御されるため、太陽電池３以外の電力の逆潮流を防止することができる。
【０１５２】
また、第３実施形態では、ピークシフトモードでの電力供給システム１の動作についてのみ説明をしたが、上述の第１実施形態および第２実施形態と同様に自家消費モードで運転することも可能である。その場合には、制御部６１は、サーバ１１から受信した自家消費モードの運転スケジュールに基づいて電力供給システム１を動作する。
【０１５３】
なお、第２実施形態の電力供給システムにおいても、本実施形態と同様に通信部６０を設けることにより、サーバ１１から受信した蓄電池４および燃料電池５の運転スケジュールに従い、かつ逆潮流を防止する制御を行うことが可能である。その場合、制御部６１は、運転スケジュールに従って蓄電池４を制御し、第３電力計測器７０により計測される受電端電力を、蓄電池４からの放電電力によりゼロまたは負になるように制御する。
【０１５４】
上述のように、第１乃至第３実施形態によれば、複数種類の電源を備え、電力系統へ逆潮流可能な電力供給システムを提供することができる。
【０１５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１５６】
例えば、上記実施形態の電力供給システムはいずれも燃料電池を有していたが、燃料電池を省略してもよい。燃料電池を更に有する電力供給システムは、給電電力量を増やすことができるとともに、電力系統と接続不可能である場合にも燃料により発電可能となるため、使用環境や使用用途に応じて燃料電池の有無を選択することが望ましい。
【符号の説明】
【０１５７】
Ｐｒｖｓ…逆潮流電力、Ｐｐｖ…発電電力（太陽電池）、Ｐｒｃｖ…受電端電力、Ｐｂａｔ…充放電電力、Ｐｆｃ…発電電力（燃料電池）、Ｐｌａｃ…消費電力（ＡＣ負荷）、Ｐｌｄｃ…消費電力（ＤＣ負荷）、１…電力供給システム、２…電力系統、３…太陽電池、４…蓄電池、５…燃料電池、５０…ＤＣ燃料電池、６…制御装置、７…分電盤、８…ＡＣ負荷、９…ＤＣ負荷、１０…通信ネットワーク、１１…サーバ、６０…通信部、６１…制御部、６２…ＤＣバス、６３…第１ＤＣ／ＤＣコンバータ、６４…第２ＤＣ／ＤＣコンバータ、６５…ＡＣ／ＤＣコンバータ、６６…第３ＤＣ／ＤＣコンバータ、６７…第１電力計測器、６８…第２電力計測器、６９…第４ＤＣ／ＤＣコンバータ、７０…第３電力計測器。
【図１】
2013258845.tif 000003
【図２】
2013258845.tif 000004
【図３】
2013258845.tif 000005
【図４】
2013258845.tif 000006
【図５】
2013258845.tif 000007
【図６】
2013258845.tif 000008
【図７】
2013258845.tif 000009
【図８】
2013258845.tif 000010
【図９】
2013258845.tif 000011
【図１０】
2013258845.tif 000012
【図１１】
2013258845.tif 000013
【図１２】
2013258845.tif 000014
【図１３】
2013258845.tif 000015
【図１４】
2013258845.tif 000016
【図１５】
2013258845.tif 000017
【図１６】
2013258845.tif 000018
【図１７】
2013258845.tif 000019
【図１８】
2013258845.tif 000020